(57)【要約】【課題】同一商品を購入したユーザのサイト同士を結ぶ手段を実現する。【解決手段】商品購入サーバ装置１は、ネットワーク上のユーザＡサイトに、商品購入サイトで購入した商品を紹介する参照記事が掲載され、この参照記事に設定された商品購入サイトへのリンクを経由してユーザＢが商品購入サイトにアクセスし、参照記事で紹介された商品を購入したとき、このユーザＢのサイトを提供するＷｅｂサーバ装置３に対して、ユーザＡサイトへのリンク情報を含む、購入商品の紹介記事を生成するよう要求する紹介記事生成要求手段を有する。Ｗｅｂサーバ装置３の紹介記事生成手段は、商品購入サーバ装置１からの要求に応じて、商品の紹介記事をユーザＢサイトに生成する。【選択図】  図１
2006293829.tif 000002
【特許請求の範囲】
【請求項１】
ネットワーク上の商品購入サイトで商品又はサービスを販売するサーバ装置であって、
ネットワーク上の第１のユーザのサイトに、前記商品購入サイトで購入した商品又はサービスを紹介する参照記事が掲載され、この参照記事に設定された前記商品購入サイトへのリンクを経由して第２のユーザが前記商品購入サイトにアクセスし、前記参照記事で紹介された商品又はサービスを購入したとき、前記第２のユーザの端末装置から受信した情報に基づいて、前記第１のユーザサイトの参照記事へのリンク情報を取得する取得手段と、
前記第２のユーザのサイトを提供するＷｅｂサーバ装置に対して、前記第１のユーザサイトの参照記事へのリンク情報を含む、前記購入した商品又はサービスの紹介記事を生成するよう要求する紹介記事生成要求手段とを備えることを特徴とするサーバ装置。
【請求項２】
請求項１記載のサーバ装置において、
さらに、前記第２のユーザサイトに紹介記事が生成された後に、前記第１のユーザサイトを提供するＷｅｂサーバ装置に対して、前記第２のユーザサイトの紹介記事へのリンクを追加するよう要求するリンク追加生成要求手段を備えることを特徴とするサーバ装置。
【請求項３】
請求項２記載のサーバ装置において、
前記第２のユーザサイトの紹介記事へのリンクは、前記第１のユーザサイトの参照記事に追加されることを特徴とするサーバ装置。
【請求項４】
ユーザが管理するＷｅｂサイトを提供するサーバ装置であって、
ネットワーク上の第１のユーザのサイトに、商品購入サイトで購入した商品又はサービスを紹介する参照記事が掲載され、この参照記事に設定された前記商品購入サイトへのリンクを経由して第２のユーザが前記商品購入サイトにアクセスし、前記参照記事で紹介された商品又はサービスを購入したとき、前記商品購入サイトを提供する商品購入サーバ装置から受信した記事生成要求から、前記第１のユーザサイトの参照記事へのリンク情報を取得する取得手段と、
前記第１のユーザサイトの参照記事へのリンク情報を含む、前記購入した商品又はサービスの紹介記事を前記第２のユーザのサイトに生成する紹介記事生成手段とを備えることを特徴とするサーバ装置。
【請求項５】
請求項４記載のサーバ装置において、
さらに、前記第２のユーザサイトに紹介記事が生成された後に、前記商品購入サーバ装置からの要求に応じて、前記第２のユーザサイトの紹介記事へのリンクを前記第１のユーザサイトに追加するリンク追加生成手段を備えることを特徴とするサーバ装置。
【請求項６】
請求項５記載のサーバ装置において、
前記第２のユーザサイトの紹介記事へのリンクは、前記第１のユーザサイトの参照記事に追加されることを特徴とするサーバ装置。
【請求項７】
ネットワーク上の商品購入サイトで商品又はサービスを販売するサーバ装置としてコンピュータを機能させるサーバプログラムであって、
ネットワーク上の第１のユーザのサイトに、前記商品購入サイトで購入した商品又はサービスを紹介する参照記事が掲載され、この参照記事に設定された前記商品購入サイトへのリンクを経由して第２のユーザが前記商品購入サイトにアクセスし、前記参照記事で紹介された商品又はサービスを購入したとき、前記第２のユーザの端末装置から受信した情報に基づいて、前記第１のユーザサイトの参照記事へのリンク情報を取得する取得手順と、
前記第２のユーザのサイトを提供するＷｅｂサーバ装置に対して、前記第１のユーザサイトの参照記事へのリンク情報を含む、前記購入した商品又はサービスの紹介記事を生成するよう要求する紹介記事生成要求手順とを前記コンピュータに実行させることを特徴とするサーバプログラム。
【請求項８】
請求項７記載のサーバプログラムにおいて、
さらに、前記第２のユーザサイトに紹介記事が生成された後に、前記第１のユーザサイトを提供するＷｅｂサーバ装置に対して、前記第２のユーザサイトの紹介記事へのリンクを追加するよう要求するリンク追加生成要求手順を前記コンピュータに実行させることを特徴とするサーバプログラム。
【請求項９】
ユーザが管理するＷｅｂサイトを提供するサーバ装置としてコンピュータを機能させるサーバプログラムであって、
ネットワーク上の第１のユーザのサイトに、商品購入サイトで購入した商品又はサービスを紹介する参照記事が掲載され、この参照記事に設定された前記商品購入サイトへのリンクを経由して第２のユーザが前記商品購入サイトにアクセスし、前記参照記事で紹介された商品又はサービスを購入したとき、前記商品購入サイトを提供する商品購入サーバ装置から受信した記事生成要求から、前記第１のユーザサイトの参照記事へのリンク情報を取得する取得手順と、
前記第１のユーザサイトの参照記事へのリンク情報を含む、前記購入した商品又はサービスの紹介記事を前記第２のユーザのサイトに生成する紹介記事生成手順とを前記コンピュータに実行させることを特徴とするサーバプログラム。
【請求項１０】
請求項９記載のサーバプログラムにおいて、
さらに、前記第２のユーザサイトに紹介記事が生成された後に、前記商品購入サーバ装置からの要求に応じて、前記第２のユーザサイトの紹介記事へのリンクを前記第１のユーザサイトに追加するリンク追加生成手順を前記コンピュータに実行させることを特徴とするサーバプログラム。
【請求項１１】
ネットワーク上の商品購入サイトで商品又はサービスを販売するサーバ装置であって、
ネットワークを介して接続された端末装置からの商品又はサービスの購入要求情報を受信すると共に、前記端末装置に前記商品購入サイトへのリンク情報を提供した第１のＷｅｂサーバ装置の参照記事のアドレス情報、及び前記端末装置のユーザのサイトを提供する第２のＷｅｂサーバ装置のアドレス情報を受信する受信手段と、
前記第２のＷｅｂサーバ装置のアドレスに対して、前記第１のＷｅｂサーバ装置の参照記事のアドレス情報を含む、前記購入要求のあった商品又はサービスの紹介記事を生成するよう要求する紹介記事生成要求手段とを備えることを特徴とするサーバ装置。
【請求項１２】
ネットワーク上の商品購入サイトで商品又はサービスを販売するサーバ装置であって、
ネットワークを介して接続された端末装置からの商品又はサービスの購入要求情報を受信すると共に、前記端末装置に前記商品購入サイトへのリンク情報を提供した第１のＷｅｂサーバ装置の参照記事のアドレス情報、及び前記端末装置のユーザＩＤを受信する受信手段と、
ユーザＩＤとユーザサイトのアドレス情報とを対応付けて記憶する記憶手段と、
前記受信したユーザＩＤに対応するユーザサイトのアドレス情報を前記記憶手段から取得するアドレス情報取得手段と、
ユーザサイトを提供する第２のＷｅｂサーバ装置の前記取得したアドレスに対して、前記第１のＷｅｂサーバ装置の参照記事のアドレス情報を含む、前記購入要求のあった商品又はサービスの紹介記事を生成するよう要求する紹介記事生成要求手段とを備えることを特徴とするサーバ装置。
【発明の詳細な説明】
【技術分野】
【０００１】
本発明は、ネットワーク上の商品購入サイトで商品又はサービスを販売する商品購入システムに係り、特に商品購入サイトを提供するサーバ装置あるいはユーザが管理するＷｅｂサイトを提供するサーバ装置とそのプログラムに関するものである。
【背景技術】
【０００２】
近年、ネットワーク上で商品やサービスを販売する電子商店が急速に普及している。この電子商店は、企業が運営するＷｅｂサイト上で展開される。このＷｅｂサイト上では、個人ユーザが記事や日記を投稿する場を提供するサービスも行われている（例えば、非特許文献１参照）。また、最近では個人でＷｅｂサイトを運営するケースも増えている。これらのＷｅｂサイトには、ネットワーク上で購入した商品の感想や評価などのコメント、及び当該商品の購入サイトへのリンク情報が掲載されている場合がある。
【０００３】
【非特許文献１】“楽天広場”，楽天株式会社，［平成１７年４月７日検索］，インターネット＜ｈｔｔｐ：／／ｐｌａｚａ．ｒａｋｕｔｅｎ．ｃｏ．ｊｐ／＞
【発明の開示】
【発明が解決しようとする課題】
【０００４】
以上のように、企業が運営するＷｅｂサイトや個人ユーザのＷｅｂサイトに商品やサービスの紹介記事が掲載されていることがあるので、同一の商品やサービスを購入したユーザのＷｅｂサイトが複数存在する可能性がある。しかしながら、従来は、同一の商品やサービスを購入したユーザのサイト同士を結ぶ手段は実現されておらず、商品やサービスの購入を検討しているユーザがその商品やサービスについての評価等を知りたい場合、検索エンジン等を用いて、商品やサービスの紹介記事が掲載されているＷｅｂサイトを検索する必要があった。
【０００５】
本発明は、上記課題を解決するためになされたもので、同一の商品やサービスを購入したユーザのサイト同士を結ぶ手段を実現することを目的とする。
【課題を解決するための手段】
【０００６】
本発明は、ネットワーク上の商品購入サイトで商品又はサービスを販売するサーバ装置であって、ネットワーク上の第１のユーザのサイトに、前記商品購入サイトで購入した商品又はサービスを紹介する参照記事が掲載され、この参照記事に設定された前記商品購入サイトへのリンクを経由して第２のユーザが前記商品購入サイトにアクセスし、前記参照記事で紹介された商品又はサービスを購入したとき、前記第２のユーザの端末装置から受信した情報に基づいて、前記第１のユーザサイトの参照記事へのリンク情報を取得する取得手段と、前記第２のユーザのサイトを提供するＷｅｂサーバ装置に対して、前記第１のユーザサイトの参照記事へのリンク情報を含む、前記購入した商品又はサービスの紹介記事を生成するよう要求する紹介記事生成要求手段とを備えるものである。
また、本発明のサーバ装置の１構成例は、さらに、前記第２のユーザサイトに紹介記事が生成された後に、前記第１のユーザサイトを提供するＷｅｂサーバ装置に対して、前記第２のユーザサイトの紹介記事へのリンクを追加するよう要求するリンク追加生成要求手段を備えるものである。
また、本発明のサーバ装置の１構成例において、前記第２のユーザサイトの紹介記事へのリンクは、前記第１のユーザサイトの参照記事に追加されるものである。
【０００７】
また、本発明は、ユーザが管理するＷｅｂサイトを提供するサーバ装置であって、ネットワーク上の第１のユーザのサイトに、商品購入サイトで購入した商品又はサービスを紹介する参照記事が掲載され、この参照記事に設定された前記商品購入サイトへのリンクを経由して第２のユーザが前記商品購入サイトにアクセスし、前記参照記事で紹介された商品又はサービスを購入したとき、前記商品購入サイトを提供する商品購入サーバ装置から受信した記事生成要求から、前記第１のユーザサイトの参照記事へのリンク情報を取得する取得手段と、前記第１のユーザサイトの参照記事へのリンク情報を含む、前記購入した商品又はサービスの紹介記事を前記第２のユーザのサイトに生成する紹介記事生成手段とを備えるものである。
また、本発明のサーバ装置の１構成例は、さらに、前記第２のユーザサイトに紹介記事が生成された後に、前記商品購入サーバ装置からの要求に応じて、前記第２のユーザサイトの紹介記事へのリンクを前記第１のユーザサイトに追加するリンク追加生成手段を備えるものである。
また、本発明のサーバ装置の１構成例において、前記第２のユーザサイトの紹介記事へのリンクは、前記第１のユーザサイトの参照記事に追加されるものである。
【０００８】
また、本発明は、ネットワーク上の商品購入サイトで商品又はサービスを販売するサーバ装置としてコンピュータを機能させるサーバプログラムであって、ネットワーク上の第１のユーザのサイトに、前記商品購入サイトで購入した商品又はサービスを紹介する参照記事が掲載され、この参照記事に設定された前記商品購入サイトへのリンクを経由して第２のユーザが前記商品購入サイトにアクセスし、前記参照記事で紹介された商品又はサービスを購入したとき、前記第２のユーザの端末装置から受信した情報に基づいて、前記第１のユーザサイトの参照記事へのリンク情報を取得する取得手順と、前記第２のユーザのサイトを提供するＷｅｂサーバ装置に対して、前記第１のユーザサイトの参照記事へのリンク情報を含む、前記購入した商品又はサービスの紹介記事を生成するよう要求する紹介記事生成要求手順とを前記コンピュータに実行させるようにしたものである。
また、本発明のサーバプログラムは、さらに、前記第２のユーザサイトに紹介記事が生成された後に、前記第１のユーザサイトを提供するＷｅｂサーバ装置に対して、前記第２のユーザサイトの紹介記事へのリンクを追加するよう要求するリンク追加生成要求手順を前記コンピュータに実行させるようにしたものである。
【０００９】
また、本発明は、ユーザが管理するＷｅｂサイトを提供するサーバ装置としてコンピュータを機能させるサーバプログラムであって、ネットワーク上の第１のユーザのサイトに、商品購入サイトで購入した商品又はサービスを紹介する参照記事が掲載され、この参照記事に設定された前記商品購入サイトへのリンクを経由して第２のユーザが前記商品購入サイトにアクセスし、前記参照記事で紹介された商品又はサービスを購入したとき、前記商品購入サイトを提供する商品購入サーバ装置から受信した記事生成要求から、前記第１のユーザサイトの参照記事へのリンク情報を取得する取得手順と、前記第１のユーザサイトの参照記事へのリンク情報を含む、前記購入した商品又はサービスの紹介記事を前記第２のユーザのサイトに生成する紹介記事生成手順とを前記コンピュータに実行させるようにしたものである。
また、本発明のサーバプログラムは、さらに、前記第２のユーザサイトに紹介記事が生成された後に、前記商品購入サーバ装置からの要求に応じて、前記第２のユーザサイトの紹介記事へのリンクを前記第１のユーザサイトに追加するリンク追加生成手順を前記コンピュータに実行させるようにしたものである。
【００１０】
また、本発明は、ネットワーク上の商品購入サイトで商品又はサービスを販売するサーバ装置であって、ネットワークを介して接続された端末装置からの商品又はサービスの購入要求情報を受信すると共に、前記端末装置に前記商品購入サイトへのリンク情報を提供した第１のＷｅｂサーバ装置の参照記事のアドレス情報、及び前記端末装置のユーザのサイトを提供する第２のＷｅｂサーバ装置のアドレス情報を受信する受信手段と、前記第２のＷｅｂサーバ装置のアドレスに対して、前記第１のＷｅｂサーバ装置の参照記事のアドレス情報を含む、前記購入要求のあった商品又はサービスの紹介記事を生成するよう要求する紹介記事生成要求手段とを備えるものである。
また、本発明は、ネットワーク上の商品購入サイトで商品又はサービスを販売するサーバ装置であって、ネットワークを介して接続された端末装置からの商品又はサービスの購入要求情報を受信すると共に、前記端末装置に前記商品購入サイトへのリンク情報を提供した第１のＷｅｂサーバ装置の参照記事のアドレス情報、及び前記端末装置のユーザＩＤを受信する受信手段と、ユーザＩＤとユーザサイトのアドレス情報とを対応付けて記憶する記憶手段と、前記受信したユーザＩＤに対応するユーザサイトのアドレス情報を前記記憶手段から取得するアドレス情報取得手段と、ユーザサイトを提供する第２のＷｅｂサーバ装置の前記取得したアドレスに対して、前記第１のＷｅｂサーバ装置の参照記事のアドレス情報を含む、前記購入要求のあった商品又はサービスの紹介記事を生成するよう要求する紹介記事生成要求手段とを備えるものである。
【発明の効果】
【００１１】
本発明によれば、第２のユーザサイトから第１のユーザサイトへのリンクを自動的に生成することができ、第１のユーザサイトと第２のユーザサイトとを直接的につなげることができる。これにより、第２のユーザサイトの紹介記事を読んだユーザは、第１のユーザサイトに容易にジャンプすることができ、同一の商品やサービスを購入した複数のユーザによる商品やサービスの評価を知ることができる。また、本発明では、第１のユーザサイトの紹介記事を経由して商品やサービスを購入したユーザが増えるほど、第２のユーザサイトから第１のユーザサイトへのリンクが増え、第１のユーザサイトへのアクセスを増やすことができるので、アフィリエイトの仕組みを導入している第１のユーザにとっては、商品購入サイトの企業から還元される利益を増やすことができる。
【００１２】
また、本発明では、第１のユーザサイトと第２のユーザサイト間に双方向リンクを生成することができ、同一の商品やサービスを購入したユーザ同士のコミュニティを形成することができる。
【発明を実施するための最良の形態】
【００１３】
［第１の実施の形態］
以下、本発明の実施の形態について図面を参照して説明する。以下の実施の形態では、有形物のみならず、サービスやデジタルコンテンツなどの無形物も含めて総称して商品と呼ぶ。図１は、本発明の第１の実施の形態となる商品購入システムの構成を示すブロック図である。図１の商品購入システムは、ネットワーク上の商品購入サイトで商品を販売する商品購入サーバ装置１と、ユーザが管理するＷｅｂサイトを提供するＷｅｂサーバ装置２，３と、ユーザの端末装置４と、商品購入サーバ装置１とＷｅｂサーバ装置２，３と端末装置４とを相互に接続するネットワーク５とから構成される。
【００１４】
商品購入サーバ装置１は、商品をネットワーク５経由で購入するための商品購入サイトを提供するサーバ装置である。図２は、商品購入サーバ装置１の１構成例を示すブロック図である。商品購入サーバ装置１は、商品購入サイトで販売する商品の情報を記憶する商品情報データベース（以下、商品情報ＤＢとする）１１と、商品を購入するユーザの情報を記憶する顧客情報データベース（以下、顧客情報ＤＢとする）１２と、商品情報ＤＢ１１に記憶された情報を基にネットワーク５上に商品購入サイトのＷｅｂページを公開するＷｅｂページ提供部１３と、ユーザ認証や課金等の商品購入に必要な処理を行う購入処理部１４と、Ｗｅｂサーバ装置に対して商品の紹介記事をユーザサイトに生成するよう要求する紹介記事生成要求部１５とを有する。紹介記事生成要求部１５は、端末装置４から受信した情報に基づいて、ユーザサイトへのリンク情報を取得する取得手段、及び受信手段を構成している。商品購入サーバ装置１には、Ｗｅｂサーバ装置２，３へのアクセスとＷｅｂサーバ装置２，３に格納されたユーザデータの管理とが許される権限が予め付与されている。なお、商品購入サーバ装置１は必ずしも１台の処理装置で構成されるとは限らない。
【００１５】
Ｗｅｂサーバ装置２，３は、それぞれユーザＡ，Ｂが管理するＷｅｂサイトを提供するサーバ装置である。図３は、Ｗｅｂサーバ装置２の１構成例を示すブロック図である。Ｗｅｂサーバ装置２は、ユーザＡサイトに掲載される記事を記憶する記事データベース（以下、記事ＤＢとする）２１と、記事ＤＢ２１に記憶された情報を基にネットワーク上にユーザＡサイトのＷｅｂページを公開するＷｅｂページ提供部２２と、商品購入サーバ装置１からの記事生成要求に応じて、商品の紹介記事をユーザのサイトに生成する紹介記事生成部２３と、Ｗｅｂサイトの管理者の認証を行い、当該管理者が記事を追加、修正、削除するためのユーザインタフェースを備えた記事編集部２４とを有する。紹介記事生成部２３は、記事生成要求から、ユーザサイトへのリンク情報を取得する取得手段を構成している。
【００１６】
図４は、記事ＤＢ２１に記憶された情報の１構成例を示す図である。Ｗｅｂサーバ装置２のＷｅｂサイトで提供する情報は、記事２１０という単位で管理される。各記事２１０は、Ｗｅｂサイトの管理者（図３、図４の例ではユーザＡ）が購入した商品の商品情報２１１と、この商品を購入した商品購入サイトへのリンク情報２１２と、この商品に関する管理者の感想や評価などのコメント２１３と、この商品を購入する契機となった他のＷｅｂサイトの記事（以下、参照記事とする）へのリンク情報２１４とから構成される。
【００１７】
各記事２１０には、記事を管理するための固有の記事ＩＤ２１５が付与され、また記事を公開するか否かを示すステータス情報２１６が付与されている。記事２１０のＵＲＩ（Uniform Resource Identifier ）は、記事ＩＤ２１５から一意に得られるものとする。Ｗｅｂサイトにアクセスがあった場合、Ｗｅｂページ提供部２２は、記事ＤＢ２１に記憶された当該Ｗｅｂサイトの記事２１０のうちステータス情報２１６が「公開」となっているものだけを集めたＷｅｂページを動的に生成する。図３、図４の例では、Ｗｅｂサーバ装置２についてのみ記載しているが、Ｗｅｂサーバ装置３も同様の構成を有している。
【００１８】
ユーザＢの端末装置４は、商品購入サーバ装置１にアクセスして、商品購入に必要な処理を行うことができる機能、及びＷｅｂサーバ装置２，３にアクセスして、Ｗｅｂサーバ装置２，３から提供されるＨＴＭＬコンテンツの操作・表示ができる機能を有している。
図５は、端末装置４の１構成例を示すブロック図である。端末装置４は、制御部４１と、操作部４２と、表示部４３と、記憶部４４とを有する。
【００１９】
図６は、本実施の形態の商品購入システムの動作の概要を示す図である。まず、ユーザＢは、端末装置４によりＷｅｂサーバ装置２のユーザＡサイト２０−Ａにアクセスし、このユーザＡサイト２０−Ａの商品Ｘ紹介記事２１０−Ａを読んで、商品Ｘの購入を決定した場合、ユーザＡが商品Ｘを購入した商品購入サイトへのリンク情報２１２−Ａをクリックする（図６ステップＳ１）。これにより、端末装置４は、リンク情報２１２−Ａを基に商品購入サーバ装置１の商品購入サイト１０にアクセスする（図６ステップＳ２）。
【００２０】
商品購入サイト１０にアクセスした端末装置４は、ユーザＢのＩＤ及び認証情報と、ユーザＢが購入したい商品ＸのＩＤと、ユーザＡサイト２０−Ａの商品Ｘ紹介記事２１０−ＡのＩＤと、ユーザＢサイトのアドレスとを商品購入サイト１０に送信する。商品購入サーバ装置１の購入処理部１４は、商品Ｘの購入処理を実施する。商品購入処理の完了後、商品購入サーバ装置１の紹介記事生成要求部１５は、ユーザＡサイト２０−Ａの商品Ｘ紹介記事２１０−ＡのＵＲＩと、商品Ｘの商品情報と、ユーザＢが商品Ｘを購入した商品購入サイト１０へのリンク情報とを含む記事生成要求をユーザＢサイトに送信する（図６ステップＳ３）。
【００２１】
この記事生成要求に応じて、Ｗｅｂサーバ装置３の紹介記事生成部２３は、商品購入サイト１０へのリンク情報２１２−Ｂと、ユーザＡサイト２０−Ａの商品Ｘ紹介記事２１０−Ａ（参照記事）へのリンク情報２１４−Ｂとを含む商品Ｘ紹介記事２１０−Ｂを、ユーザＢサイト２０−Ｂ上に生成する。この生成時点では、商品Ｘ紹介記事２１０−Ｂのステータス情報２１６は「非公開」となっている。そして、紹介記事生成部２３は、生成した商品Ｘ紹介記事２１０−ＢのＩＤを商品購入サイト１０に返信する（図６ステップＳ４）。
【００２２】
商品Ｘ紹介記事２１０−ＢのＩＤを受信した商品購入サーバ装置１の紹介記事生成要求部１５は、処理完了通知としてこのＩＤを端末装置４に送信する（図６ステップＳ５）。
ユーザＢは、端末装置４を用いて、自分が管理するユーザＢサイト２０−Ｂに管理者としてアクセスし、商品Ｘ紹介記事２１０−Ｂに商品Ｘの感想や評価を書き込む（図６ステップＳ６）。これにより、Ｗｅｂサーバ装置３の紹介記事生成部２３は、商品Ｘ紹介記事２１０−Ｂにコメント２１３を追加し、商品Ｘ紹介記事２１０−Ｂのステータス情報２１６を「公開」に変更して、編集を終了する。
【００２３】
以下、図７を用いて図６で説明した動作をより詳細に説明する。前述のとおり、ユーザＢは、端末装置４によりＷｅｂサーバ装置２のユーザＡサイト２０−Ａにアクセスする。このアクセスに応じて、Ｗｅｂサーバ装置２のＷｅｂページ提供部２２は、商品Ｘ紹介記事２１０−Ａを端末装置４に送信する（図７ステップＳ１０１）。
【００２４】
端末装置４の制御部４１は、商品Ｘ紹介記事２１０−Ａを表示部４３に表示させる。ユーザＢは、表示された商品Ｘ紹介記事２１０−Ａを読んで、商品Ｘの購入を決定した場合、商品Ｘ紹介記事２１０−Ａ中のリンク情報２１２−Ａをクリックする（ステップＳ１０２）。これにより、端末装置４の制御部４１は、リンク情報２１２−Ａを基に商品購入サイト１０にアクセスする（ステップＳ１０３）。
【００２５】
このアクセスに応じて、商品購入サーバ装置１のＷｅｂページ提供部１３は、商品Ｘ購入のＷｅｂページを端末装置４に送信する（ステップＳ１０４）。端末装置４の制御部４１は、Ｗｅｂページを表示部４３に表示させる。ユーザＢは、操作部４２を操作して、自身のＩＤ及び認証情報を入力する（ステップＳ１０５）。
【００２６】
端末装置４の制御部４１は、入力されたユーザＢのＩＤ及び認証情報と、ユーザＢが購入を決定した商品ＸのＩＤと、ユーザＡサイト２０−Ａの商品Ｘ紹介記事２１０−ＡのＩＤと、ユーザＢサイトのアドレスとを含む商品購入処理要求を商品購入サイト１０に送信する（ステップＳ１０６）。なお、ユーザＡサイト２０−Ａの商品Ｘ紹介記事２１０−ＡのＩＤは、端末装置４から商品Ｘ紹介記事２１０−Ａにアクセスした際に取得される。
【００２７】
商品購入処理要求を受信した商品購入サーバ装置１の購入処理部１４は、商品Ｘの購入処理を実施する（ステップＳ１０７）。すなわち、購入処理部１４は、受信したユーザＢのＩＤ及び認証情報に基づいて認証を行い、認証に成功した場合は、要求された商品Ｘの購入に問題がないと判断して、ユーザＢに対する課金処理を行う。
【００２８】
商品Ｘの購入処理の完了後、商品購入サーバ装置１の紹介記事生成要求部１５は、商品Ｘの商品情報２１１を商品ＤＢ１１から取得すると共に、端末装置４から受信した商品Ｘ紹介記事２１０−ＡのＩＤに基づいてユーザＡサイト２０−Ａの商品Ｘ紹介記事２１０−Ａへのリンク情報（ＵＲＩ）２１４−Ｂを取得し、商品情報２１１と、ユーザＢが商品Ｘを購入した商品購入サイト１０へのリンク情報２１２−Ｂと、商品Ｘ紹介記事２１０−Ａへのリンク情報２１４−Ｂとを含む記事生成要求をユーザＢサイト２０−Ｂに送信する（ステップＳ１０８）。
【００２９】
記事生成要求を受信したＷｅｂサーバ装置３の紹介記事生成部２３は、商品情報２１１と、商品購入サイト１０へのリンク情報２１２−Ｂと、ユーザＡサイト２０−Ａの商品Ｘ紹介記事２１０−Ａへのリンク情報２１４−Ｂとを含む商品Ｘ紹介記事２１０−Ｂを生成して、この商品Ｘ紹介記事２１０−ＢをＷｅｂサーバ装置３の記事ＤＢ２１に格納する（ステップＳ１０９）。このとき、紹介記事生成部２３は、商品Ｘ紹介記事２１０−Ｂに対して固有の記事ＩＤ２１５を付与し、またステータス情報２１６を「非公開」とする。そして、紹介記事生成部２３は、生成した商品Ｘ紹介記事２１０−ＢのＩＤを作成完了通知として商品購入サイト１０に返信する（ステップＳ１１０）。
【００３０】
商品Ｘ紹介記事２１０−ＢのＩＤを受信した商品購入サーバ装置１の紹介記事生成要求部１５は、購入処理完了通知として、このＩＤを端末装置４に送信する（ステップＳ１１１）。商品Ｘ紹介記事２１０−ＢのＩＤは、端末装置４の記憶部４４に格納される。
ユーザＢは、商品Ｘ紹介記事２１０−Ｂを編集したい場合、端末装置４を用いて、自分が管理するユーザＢサイト２０−Ｂに管理者としてアクセスする。端末装置４の制御部４１は、ユーザＢの認証情報と商品Ｘ紹介記事２１０−ＢのＩＤとを含む記事修正要求をユーザＢサイト２０−Ｂに送信する（ステップＳ１１２）。
【００３１】
Ｗｅｂサーバ装置３の記事編集部２４は、受信したユーザＢの認証情報に基づいて認証を行い、認証に成功した場合は、要求された商品Ｘ紹介記事２１０−Ｂを端末装置４に送信する（ステップＳ１１３）。端末装置４の制御部４１は、商品Ｘ紹介記事２１０−Ｂを表示部４３に表示させる。ユーザＢは、端末装置４の操作部４２を操作して、商品Ｘ紹介記事２１０−Ｂに商品Ｘの感想や評価を書き込む（ステップＳ１１４）。端末装置４の制御部４１は、入力された感想や評価などのコメント２１３を含む記事修正完了通知をユーザＢサイト２０−Ｂに送信する（ステップＳ１１５）。
【００３２】
Ｗｅｂサーバ装置３の記事編集部２４は、記事ＤＢ２１の商品Ｘ紹介記事２１０−Ｂにコメント２１３を追加し、商品Ｘ紹介記事２１０−Ｂのステータス情報２１６を「公開」に変更して、編集を終了する（ステップＳ１１６）。
こうして、本実施の形態では、ユーザＢサイトの商品Ｘ紹介記事からユーザＡサイトの商品Ｘ紹介記事へのリンクを自動的に生成することができ、ユーザＡサイトとユーザＢサイトとを直接的に結ぶことができる。
【００３３】
ユーザＡサイトの紹介記事を経由してユーザＢが商品を購入した場合に、紹介記事を書いたユーザＡに対して商品購入サイトの企業から利益の一部を還元する仕組みをアフィリエイトと呼ぶ。アフィリエイトでより多くの利益還元を得るためには、ユーザＡサイトへのアクセスを増やすことが重要であるが、本実施の形態によれば、ユーザＡサイトの紹介記事を経由して当該商品を購入したユーザが増えるほど、被紹介ユーザサイトからユーザＡサイトへのリンクが増え、ユーザＡサイトへのアクセスを増やすことができる。
【００３４】
［第２の実施の形態］
第１の実施の形態では、ユーザＢサイト２０−Ｂの商品Ｘ紹介記事２１０−ＢからユーザＡサイト２０−Ａの商品Ｘ紹介記事２１０−Ａへの片方向リンクを生成する場合について説明したが、双方向のリンクを生成するようにしてもよい。ユーザＡサイト２０−ＡとユーザＢサイト２０−Ｂ間に双方向リンクを張る場合は、ユーザＢサイト２０−Ｂに商品Ｘ紹介記事２１０−Ｂを作成した後、ユーザＡサイト２０−Ａの参照記事に対して、ユーザＢサイト２０−Ｂの商品Ｘ紹介記事２１０−Ｂへのリンク情報を送信して、当該参照記事にリンクを追加すればよい。本実施の形態においても、商品購入システムの構成は第１の実施の形態と同様であるので、図１の符号を用いて説明する。
【００３５】
図８は、本実施の形態の商品購入サーバ装置１の１構成例を示すブロック図である。本実施の形態では、ユーザＡサイト２０−ＡにユーザＢサイト２０−Ｂの商品Ｘ紹介記事２１０−Ｂへのリンクを追加するよう要求するリンク追加生成要求部１６を、商品購入サーバ装置１に追加している。
【００３６】
図９は、本実施の形態のＷｅｂサーバ装置２の１構成例を示すブロック図である。本実施の形態では、ユーザＢサイト２０−Ｂの商品Ｘ紹介記事２１０−ＢへのリンクをユーザＡサイト２０−Ａに追加するリンク追加生成部２５を、Ｗｅｂサーバ装置２に追加している。
【００３７】
図１０は、本実施の形態の商品購入システムの動作を示すシーケンス図である。図１０のステップＳ２０１〜Ｓ２０９の処理は、図７のステップＳ１０１〜Ｓ１０９と同じである。Ｗｅｂサーバ装置３の紹介記事生成部２３は、ユーザＢサイト２０−Ｂに商品Ｘ紹介記事２１０−Ｂを生成した後、ユーザＡサイト２０−Ａの商品Ｘ紹介記事２１０−ＡのＩＤと、生成した商品Ｘ紹介記事２１０−ＢのＩＤとを作成完了通知として商品購入サイト１０に返信する（ステップＳ２１０）。
【００３８】
この作成完了通知を受信した商品購入サーバ装置１のリンク追加生成要求部１６は、ユーザＡサイト２０−Ａの商品Ｘ紹介記事２１０−ＡのＩＤとユーザＢサイト２０−Ｂの商品Ｘ紹介記事２１０−ＢのＩＤとを含むリンク追加要求をユーザＡサイト２０−Ａに送信する（ステップＳ２１１）。
【００３９】
リンク追加要求を受信したＷｅｂサーバ装置２のリンク追加生成部２５は、受信した商品Ｘ紹介記事２１０−ＢのＩＤに基づいてユーザＢサイト２０−Ｂの商品Ｘ紹介記事２１０−Ｂへのリンク情報（ＵＲＩ）を取得し、記事ＤＢ２１の商品Ｘ紹介記事２１０−Ａに商品Ｘ紹介記事２１０−Ｂへのリンク情報を追加する（ステップＳ２１２）。そして、リンク追加生成部２５は、商品Ｘ紹介記事２１０−ＡのＩＤを作成完了通知として商品購入サイト１０に返信する（ステップＳ２１３）。
【００４０】
Ｗｅｂサーバ装置２からの作成完了通知を受信した商品購入サーバ装置１の紹介記事生成要求部１５は、購入処理完了通知として、商品Ｘ紹介記事２１０−ＢのＩＤを端末装置４に送信する（ステップＳ２１４）。ステップＳ２１５〜Ｓ２１９の処理は、図７のステップＳ１１２〜Ｓ１１６と同じである。
【００４１】
以上のように、本実施の形態では、ユーザＡサイト２０−Ａの商品Ｘ紹介記事２１０−ＡとユーザＢサイト２０−Ｂの商品Ｘ紹介記事２１０−Ｂ間に双方向リンクを生成することができ、同一の商品を購入したユーザ同士のコミュニティを形成することができる。
【００４２】
なお、図１０で説明したステップＳ２１１〜Ｓ２１３の手順を使用せずに、図１１に示すようにｂｌｏｇのトラックバック技術を利用して、ユーザＢサイト２０−Ｂの商品Ｘ紹介記事２１０−Ｂの参照記事として商品Ｘ紹介記事２１０−Ａを指定することにより、商品Ｘ紹介記事２１０−Ａに対してリンクを張っている商品Ｘ紹介記事２１０−Ｂの存在を、ユーザＡサイト２０−Ａに通知することができる。これにより、ユーザＡサイト２０−ＡとユーザＢサイト２０−Ｂ間に双方向リンクを生成するようにしてもよい。
【００４３】
本実施の形態では、ユーザＡサイト２０−Ａの参照記事である商品Ｘ紹介記事２１０−ＡにユーザＢサイト２０−Ｂの商品Ｘ紹介記事２１０−Ｂへのリンクを追加するようにしたが、これに限るものではなく、ユーザＡサイト２０−Ａの他の記事、例えばホームページに商品Ｘ紹介記事２１０−Ｂへのリンクを追加するようにしてもよい。この場合は、ステップＳ２１１において商品購入サーバ装置１からユーザＡサイト２０−Ａに参照記事のＩＤを送る必要はなくなる。
【００４４】
［第３の実施の形態］
第１、第２の実施の形態では、図７のステップＳ１０６、図１０のステップＳ２０６において、端末装置４からユーザＢのＩＤとユーザＢサイトのアドレスとを送るようにしているが、ユーザＢサイトのアドレスを送ることを不要にすることもできる。図１２は、本実施の形態の商品購入サーバ装置１の１構成例を示すブロック図である。本実施の形態の商品購入サーバ装置１は、図２に示した構成に加えて、ユーザＩＤとユーザサイトのアドレス情報とを対応付けて記憶するユーザサイトデータベース（以下、ユーザサイトＤＢとする）１７と、受信したユーザＩＤに対応するユーザサイトのアドレス情報をユーザサイトＤＢ１７から取得するアドレス情報取得部１８とを有する。図１３に、ユーザサイトＤＢ１７の１構成例を示す。
【００４５】
商品購入サーバ装置１のアドレス情報取得部１８は、受信したユーザＢのＩＤに基づいてユーザサイトＤＢ１７を検索し、ユーザＢのＩＤに対応するユーザＢサイトのアドレスを取得する。そして、商品購入サーバ装置１の紹介記事生成要求部１５は、取得したユーザＢサイトのアドレスに対して、商品情報２１１と、商品購入サイト１０へのリンク情報２１２−Ｂと、商品Ｘ紹介記事２１０−Ａへのリンク情報２１４−Ｂとを含む記事生成要求を送信する（図７ステップＳ１０８、図１０ステップＳ２０８）。
【００４６】
こうして、本実施の形態では、商品購入サーバ装置１においてユーザＢのＩＤからユーザＢサイトのアドレスを入手することにより、端末装置４からユーザＢサイトのアドレスを送る必要がなくなる。
【００４７】
なお、第１〜第３の実施の形態の商品購入サーバ装置１、Ｗｅｂサーバ装置２，３、端末装置４は、それぞれＣＰＵと記憶装置とインタフェースとを備えたコンピュータ、及びこれらのハードウェア資源を制御するプログラムによって実現することができる。コンピュータをそれぞれの装置として機能させるためのプログラムは、フレキシブルディスク、ＣＤ−ＲＯＭ、ＤＶＤ−ＲＯＭ、メモリカードなどの記録媒体に記録された状態で提供される。ＣＰＵは、読み込んだプログラムを記憶装置に書き込み、この記憶装置に格納されたプログラムに従って第１〜第３の実施の形態で説明した処理を実行する。
【産業上の利用可能性】
【００４８】
本発明は、ネットワーク上の商品購入サイトで商品を販売する商品購入システムに適用することができる。
【図面の簡単な説明】
【００４９】
【図１】本発明の第１の実施の形態となる商品購入システムの構成を示すブロック図である。
【図２】本発明の第１の実施の形態の商品購入システムにおける商品購入サーバ装置の１構成例を示すブロック図である。
【図３】本発明の第１の実施の形態の商品購入システムにおけるＷｅｂサーバ装置の１構成例を示すブロック図である。
【図４】図３のＷｅｂサーバ装置の記事データベースに記憶された情報の１構成例を示す図である。
【図５】本発明の第１の実施の形態の商品購入システムにおける端末装置の１構成例を示すブロック図である。
【図６】本発明の第１の実施の形態の商品購入システムの動作の概要を示す図である。
【図７】本発明の第１の実施の形態の商品購入システムの動作を示すシーケンス図である。
【図８】本発明の第２の実施の形態の商品購入システムにおける商品購入サーバ装置の１構成例を示すブロック図である。
【図９】本発明の第２の実施の形態の商品購入システムにおけるＷｅｂサーバ装置の１構成例を示すブロック図である。
【図１０】本発明の第２の実施の形態の商品購入システムの動作を示すシーケンス図である。
【図１１】本発明の第２の実施の形態における双方向リンクの他の生成方法を説明するための図である。
【図１２】本発明の第３の実施の形態の商品購入システムにおける商品購入サーバ装置の１構成例を示すブロック図である。
【図１３】本発明の第３の実施の形態の商品購入システムにおける商品購入サーバ装置のユーザサイトデータベースの１構成例を示す図である。
【符号の説明】
【００５０】
１…商品購入サーバ装置、２、３…Ｗｅｂサーバ装置、４…端末装置、５…ネットワーク、１０…商品購入サイト、１１…商品情報データベース、１２…顧客情報データベース、１３…Ｗｅｂページ提供部、１４…購入処理部、１５…紹介記事生成要求部、１６…リンク追加生成要求部、１７…ユーザサイトデータベース、１８…アドレス情報取得部、２０−Ａ…ユーザＡサイト、２０−Ｂ…ユーザＢサイト２０−Ｂ、２１…記事データベース、２２…Ｗｅｂページ提供部、２３…紹介記事生成部、２４…記事編集部、２５…リンク追加生成部、４１…制御部、４２…操作部、４３…表示部、４４…記憶部。
【図１】
2006293829.tif 000003
【図２】
2006293829.tif 000004
【図３】
2006293829.tif 000005
【図４】
2006293829.tif 000006
【図５】
2006293829.tif 000007
【図６】
2006293829.tif 000008
【図７】
2006293829.tif 000009
【図８】
2006293829.tif 000010
【図９】
2006293829.tif 000011
【図１０】
2006293829.tif 000012
【図１１】
2006293829.tif 000013
【図１２】
2006293829.tif 000014
【図１３】
2006293829.tif 000015